Podtech/llm-jp-corpus-v4-ja_patent huggingface dataset:
(57)【要約】      （修正有）【課題】携帯に便利で、風に対する強度があり、取付の手数がかからないアルミ携帯のぼりポールを提供する。【解決手段】横棒回転部４を介してポール本体１を横棒固定成形部６に接続するとともに、横棒固定成形部に横棒２をピン５で固定し、ピンを中心に横棒が回転する、収納時も使用時も一体との構造とする。ポール本体と横棒がそれぞれ伸縮する構造を有するのが望ましい。【選択図】図２
0003200851.tif 000002
【実用新案登録請求の範囲】
【請求項１】
のぼり竿の横棒（カンザシ）部分を本体ポール部分と分離することなく一体として使用及び収納可能とするとともに、横棒（カンザシ）を伸縮可能とすることにより、いろんな大きさののぼり旗に対し生地幅の固定を自在可能とするところを特徴とするアルミ携帯のぼりポール。
【請求項２】
携帯用として小さく軽く、又重量を抑えるため、本体ポールをアルミ材を使い、横棒の強度を持たせ伸縮可能とするため真鍮材を使用し、軽くて、丈夫で携帯性があるところを特徴とする携帯用のぼりポール。
【考案の詳細な説明】
【技術分野】
【０００１】本考案は、のぼり旗取付用ポール関するものである。
【背景技術】
【０００２】携帯用として、強度が充分な素材がなく、横棒の部分と本体ポールの部分が別々に分れ、使用時に組合せる様になっていた。
【先行技術文献】
【特許文献】
【０００３】
【特許文献１】楽楽ポールＩＩＩ  特許３４４５２１７
【非特許文献】
【０００４】
【非特許文献１】セーフティポール  服部株式会社
【考案の概要】
【考案が解決しようとする課題】
【０００５】のぼりポールとして、携帯に便利である必要があり、屋外使用の際にある程度の風に対する強度が要求される。また、横棒と本体ポールが分れていると、紛失したり、取付の手数がかかる。これらの点を解決しょうとするものである。
【課題を解決するための手段】
【０００６】本考案は、本体ポールと横棒の接続部分を一体の仕組みとし、横棒折たたみ収納可能な方式をつくり、かつ、軽量金属を使用することにより強度を強くし問題を解決している。
【考案の効果】
【０００７】上述の様に、本考案のアルミ携帯のぼりポールは本体ポールと横棒との一体化により紛失防止携帯性に優れ、のぼり旗の取付の際の手数を省き、運搬、使用、収納、利便性に役立つ。
【図面の簡単な説明】
【０００８】
【図１】本考案のアルミ携帯のぼりポールの収納時の正面図である。
【図２】横棒を回転させてセットした時の正面図である。
【図３】のぼり旗をセットした、使用時の正面図である。
【考案を実施するための形態】
【０００９】  横棒の部分の接続固定ピンを中心に２７０度回転させて、ポール本体に対してＴ型に固定し必要な長さに伸ばす。ポール本体を必要な長さに各段の固定ネジを緩めて伸ばしネジを締めて固定する。
【実施例】
【００１０】  以下、添付図面に従って一実施例を説明する。図１の２横棒を３の回転経路に従って１８０度回転させ伸縮横棒を引き延ばす。１の本体アルミポールのジョイントネジを緩め長さを伸ばしねじを締めて固定する。
８ののぼり旗の横についているチチ（テープ）の輪の下の部分より上についているチチにそって横棒先端を通していき、次にのぼり旗の上部についているチチを順次通し、先端のチチを横棒先端７のキャップに固定する。
最後にのぼり旗の横のチチと上部のチチの分れる部分を６の固定成形部分に置いて横棒を９０度回転させてＴ型に固定する。
【産業上の利用可能性】
【００１１】現状のポールで小型携帯用は素材がカーボンの為風に弱く破損が多い。
本品はアルミと真鍮製の為風雨に強く屋外での使用に耐える耐久性と一気にのぼりのチチ（テープ）を通すことが出来簡単である点、従来製品より利用度が高い。
【符号の説明】
【００１２】１  アルミポール本体
２  真鍮製伸縮横棒（カンザシ）
３  横棒回転経路
４  ポールと横棒回転接続部
５  横棒回転軸ピン
６  横棒固定成形部
７  のぼり旗先端チチ固定ピン
８  ポール伸縮固定締めネジ
９  使用するのぼり旗本体
【図１】
0003200851.tif 000003
【図２】
0003200851.tif 000004
【図３】
0003200851.tif 000005
【手続補正書】
【提出日】平成27年8月17日(2015.8.17)
【手続補正１】
【補正対象書類名】実用新案登録請求の範囲
【補正対象項目名】全文
【補正方法】変更
【補正の内容】
【実用新案登録請求の範囲】
【請求項１】
ポール本体（１）と横棒回転部（４）を介して横棒固定成形部（６）に接続し、横棒固定成形部（６）に横棒（２）をピン（５）で固定させ、ピン（５）を中心に横棒（２）を回転させ固定する、収納時も使用時も一体となっているアルミ携帯用のぼりポール。
【請求項２】
ポール本体と横棒がそれぞれ伸縮することが可能な構造を有する特徴をもった請求項１記載のアルミ携帯用のぼりポール。
(57)【要約】      （修正有）【課題】目玉クリップを農業用道具に利用できるようにしたＴ字形状のクリップを提供する。【解決手段】目玉クリップの挟む部分と同じ長さ同じ巾に成形したつまみを有し、そのつまみ部分の両端につまみ巾より長く出た細長い長方形状を付加したことを特徴とする。野菜栽培で支柱を立て横桟をつける作業において、そのクリップで支柱を挟みつまみ部分がＴ型であるためそのＴ部分に横桟をのせてもう片方を持ち上げて固定し、そのあとクリップで挟んだ場所を固定すれば簡単に作業ができる。【選択図】図５
0003200878.tif 000002
【実用新案登録請求の範囲】
【請求項１】
目玉クリップの挟む部分と同じ長さ同じ巾に成形したつまみを有し、そのつまみ部分の両端につまみ巾より長く出た細長い長方形状を付加したＴ字形状のクリップ。
【考案の詳細な説明】
【技術分野】
【０００１】  本考案は目玉クリップを農業用道具に利用できるようにした改良技術。
【背景技術】
【０００２】  従来の目玉クリップは紙を挟むまた綴じるために使う文具あった。
【考案の開示】
【考案が解決しようとする課題】
【０００３】  蔓性の野菜栽培するとき支柱を立て次に横桟を支柱につける作業をするそのとき横桟の片方を支柱に縛りもう一方を持ち上げて縛って数段の垣を作る。
片方を支柱に固定しもう一方の下がっている横桟の片方を持ち上げて支柱に付けると先に固定した個所が緩むため再度締め直し固定しなければ横桟がしっかり固定出来ず作業に２度手間がかった。
【考案が解決する手段】
【０００４】  目玉クリップのつまみ部分を挟む部分と同じ長さの巾に改良しそのつまみ部分の上辺を細長く長方形に加工するとＴ形状のクリップとなる。このように改良されたクリップが本考案の仮受けクリップとなる。
そのクリップで支柱を挟み、つまみの部分がＴ型であるためそのＴ部分の底部に横桟をのせてもう片方を持ち上げて固定しその後仮受けクリップで挟んだ場所を固定する。クリップの挟む部分とＴ形の底部が水平となっているので紐で横桟を縛る時にクリップを外すことなく紐を縛る事ができ効率よく作業が出来る。
【考案の効果】
【０００５】  いままで長尺の横残を取り付けるのに２人で作業しなければならなかったが１人で出来るようになった。
【考案の適用範囲】
【０００６】  蔓性の作物の垣だけでなく農業用ビニールハウスを作るときや大工仕事などで横桟とり付けるときにも使える。
【考案を実施するための形態】
【０００７】  図面の図１は本考案の元である市販の文具、目玉クリップで符号１はこのクリップのつまみ部分。
【０００８】  図２はこの考案の仮受けクリップで図１の目玉クリップのつまみ部分を符号２のように挟む部分とつまみ部分を同じ幅にしたＴ形状のクリップの側面図である。
【０００９】  図３は符号４の地面に符号３の支柱を立てその支柱に符号２の仮受けクリップを止めた側面から見た図である。
【００１０】  図４は正面から見た図である。支柱符号３が３本立っていて両端の支柱に仮受けクリップを止めそのクリップのＴ形部分に符号５の横桟を乗せ符号６の紐で支柱に縛り固定した図である。
【００１１】  図５の符号７は仮受けクリップをわかりやすくした完成図である。
【図面の簡単な説明】
【００１２】
【図１】  市販の目玉クリップで符号１は目玉クリップのつまみ部分である。
【図２】  目玉クリップのつまみ部分を挟む部分と同じ長さの幅に符号２のようにＴ形状に加工した側面図
【図３】  本考案の使用例で符号３の支柱に本考案の符号２の仮受けクリップを止めた側面図である。
【図４】  符号３の支柱３本に符号５の横桟を乗せ符号６紐で縛った状態の図である。
【図５】  仮受けクリップを描いた斜視図である。
【符号の説明】  １、  目玉クリップのつまみ部分。
２、  目玉クリップのつまみ部分がＴ形に成型された仮受けクリップ。
３、  支柱。
４、  地面。
５、  横桟。
６、  紐。
７、  仮受けクリップ完成図。
【図１】
0003200878.tif 000003
【図２】
0003200878.tif 000004
【図３】
0003200878.tif 000005
【図４】
0003200878.tif 000006
【図５】
0003200878.tif 000007
(57)【要約】      （修正有）【課題】大小異なる工具の収納が可能であり、作業性に優れたツールポケット付ズボンを提供する。【解決手段】ズボンに形成された開口部１１の内側に収納した状態と、開口部の外側に吊り下げた状態に切り替えることができるツールポケット２０を有することを特徴とする。【選択図】図１
0003200876.tif 000002
【実用新案登録請求の範囲】
【請求項１】
ズボンに形成された開口部の内側に収納した状態と、当該開口部の外側に吊り下げた状態に切り替えることができるツールポケットを有することを特徴とするツールポケット付ズボン。
【請求項２】
前記ツールポケットは前記ズボンの開口部の内側に設けたポケット袋体に収納可能であることを特徴とするツールポケット付ズボン。
【請求項３】
前記ツールポケットは大きさの異なる複数のポケット部を有することを特徴とする請求項１又は２記載のツールポケット付ズボン。
【請求項４】
前記ツールポケットはズボンのウエストベルト部から吊り下げてあることを特徴とする請求項１〜３のいずれかに記載のツールポケット付ズボン。
【考案の詳細な説明】
【技術分野】
【０００１】
本考案は、工具を収納できるツールポケットを備えたズボンに関する。
【背景技術】
【０００２】
ズボンのポケットの内外のいずれにも配置できる補助ポケットとしては、特許文献１，２等が公知である。
しかし、これらに開示する補助ポケットは工具の収納には不充分である。
【先行技術文献】
【特許文献】
【０００３】
【特許文献１】実用新案登録第３１９０８００号公報
【特許文献２】実用新案登録第３００４６９４号公報
【考案の開示】
【考案が解決しようとする課題】
【０００４】
本考案は、大小異なる工具の収納が可能であり、作業性に優れたツールポケット付ズボンの提供を目的とする。
【課題を解決するための手段】
【０００５】
本考案に係るツールポケット付ズボンは、ズボンに形成された開口部の内側に収納した状態と、当該開口部の外側に吊り下げた状態に切り替えることができるツールポケットを有することを特徴とする。
ここで、ツールポケットは前記ズボンの開口部の内側に設けたポケット袋体に収納可能であってもよい。
【０００６】
本考案において、ツールポケットは大きさの異なる複数のポケット部を有するのが好ましい。
このようにすると、ペンチ類，ドライバー類，レンチ類，モンキー類等の大小，大きさの異なるツールに分けて収納でき、作業性がよくなる。
【０００７】
本考案においてツールポケットの取り付ける位置に制限はないが、ツールポケットはズボンのウエストベルト部から吊り下げてあるのが好ましい。
【考案の効果】
【０００８】
本考案に係るツールポケット付ズボンは、ツールポケットをズボンに形成した開口部の内側に収納すると、通常のズボンとして機能し、ツールポケットをズボンの外側に取り出すと各種工具を収納して持ち歩くことができるので、作業性に優れる。
【図面の簡単な説明】
【０００９】
【図１】（ａ）はズボンの外側にツールポケットを取り出した状態を示し、（ｂ）はこのツールポケットをズボンの内側に収納した状態を示す。
【図２】（ａ）はツールポケットの表側、（ｂ）は裏側を示す。
【図３】（ａ）と（ｃ）はズボンを横から見た図、（ｂ）は後側から見た図を示す。
【図４】ズボンの内側のポケット袋体の配置例を示す。
【図５】ツールポケットに各種工具を収納した例を示す。
【図６】ズボンの後ポケットにツールポケットを設けた例を示す。
【考案を実施するための最良の形態】
【００１０】
本考案に係るツールポケット付ズボンの構成例を以下図面に基づいて説明するが、本考案はこれに限定されない。
【００１１】
図１にズボン１０を前から見た状態を示し、（ａ）はツールポケット２０をズボンの開口部１１から取り出し、外側に吊り下げた状態を示す。
ズボン１０の前身頃部１３のウエスト部であって、前側からズボンのサイド部に向けてこのサイド側が前側より下方に位置するように斜めの開口部１１をズボンの前身頃の左右に設けてある。
ツールポケット２０は、上端部をウエストベルト１２に縫着してある。
この場合に、図１（ｃ）に示すように二重に折り返した表布１２ａと、裏布１２ｂとの間に身頃生地とともにツールポケット布の上端部を挟み込むようにして縫着してある。
なお、ツールポケット２０の取り付ける位置は、このような前側ポケットに限定されない。
【００１２】
本実施例では、図３に示すようにズボンの後側の後身頃１４にフラップポケット４０と、片玉縁ポケット５０を備え、サイド部にカーゴポケット３０を設けた例になっている。
ウエスト部の内側のポケット袋体の配置図を図４に示す。
ポケット袋体１５は、ツールポケット２０を収納するための袋体であり、ツールポケット２０はこの袋体よりも大きい。
ポケット袋体１６，１６は、フラップポケット４０，片玉縁ポケット５０の袋体である。
【００１３】
ツールポケット２０は、図２に示すように表側に相対的に大きい第１ポケット２２と、複数に分割した小ポケット２３を有し、裏側に裏ポケット２４を設けた例となっている。
ポケット生地２１の端部は、二重に折り返し逢着した補強部２１ａとなっており、各ポケットの上端部も折り返し逢着した補強部２２ａ，２３ａ，２４ａとなっている。
これにより、図５に示すように通常のズボンポケットに入らないような大きい工具１，２から小さな工具３までの各種工具を区分けしながら収納することができる。
【００１４】
図６は、ズボンの後ポケットに収納したツールポケットを外側に取り出した状態を示す。
このように、本考案に係るツールポケットは、ズボンの後ポケットに設けてもよい。
【符号の説明】
【００１５】
１０      ズボン
１１      開口部
１２      ウエストベルト部
２０      ツールポケット
【図１】
0003200876.tif 000003
【図２】
0003200876.tif 000004
【図３】
0003200876.tif 000005
【図４】
0003200876.tif 000006
【図５】
0003200876.tif 000007
【図６】
0003200876.tif 000008
【手続補正書】
【提出日】平成27年8月31日(2015.8.31)
【手続補正１】
【補正対象書類名】実用新案登録請求の範囲
【補正対象項目名】全文
【補正方法】変更
【補正の内容】
【実用新案登録請求の範囲】
【請求項１】
ズボンに形成された開口部の内側に収納した状態と、当該開口部の外側に吊り下げた状態に切り替えることができるツールポケットを有することを特徴とするツールポケット付ズボン。
【請求項２】
前記ツールポケットは前記ズボンの開口部の内側に設けたポケット袋体に収納可能であることを特徴とする請求項１記載のツールポケット付ズボン。
【請求項３】
前記ツールポケットは大きさの異なる複数のポケット部を有することを特徴とする請求項１又は２記載のツールポケット付ズボン。
【請求項４】
前記ツールポケットはズボンのウエストベルト部から吊り下げてあることを特徴とする請求項１〜３のいずれかに記載のツールポケット付ズボン。
(57)【要約】      （修正有）【課題】身近な所にあるので家庭によって手袋や布製物品、紙おしめや生理用品など必要とする物が入れられ、誰に頼んでも解り易いクッションカバンを提供する。【解決手段】二枚の布袋からなり、一枚目の袋に１本のファスナー１、２で広く口を開けられるようにし、中袋にベッドパットや机布団などクッション性の生まれるものを入れて非常時に備える。袋に持ち手を付けたのでバッグとして使用出来るので災害時には混雑した中で、自分の物を区別できるので安心感につながる。【選択図】図１
0003200871.tif 000002
【実用新案登録請求の範囲】
【請求項１】
袋物にクッション性のあるものを入れ持ち手を設けた災害に備えるクッションカバン。
【考案の詳細な説明】
【０００１】  この考案は日常の生活の中に非常用持出し袋をクッシン枕としてリビングなどに置くクッションカバンに関するものである。
【０００２】従来非常用持出袋などは奥に入りがちであった。
避難場所で高齢者や障害者の方は長時間座って待つのは辛いものであった。
【０００３】
【０００４】  これだけ災害の多発性が警鐘され、個々に備えることが重要となって来ている。また高齢化、過疎化が進み孤立集落も増え続けている。
【０００５】  ２枚の長方形の袋からなり、〔図１〕の表地の袋の左側部１〜２は一本のファスナーで付る。裏側には２本の持ち手を設ける。〔図３〕の内側の袋は一片の口は開いている。
中に肌布団やベットパット、紙おしめなどクッション性のある物が入れられる。〔図１〕をバックとして使用中もう一つの袋があることでそのまま枕や布団の収納袋として使え外見上もよい。また内袋を外袋に入れる時も入れ易い。普段は〔図１〕に〔図３〕の袋を入れた状態でクッションや枕として使用する。
【０００６】  身近な所にあるので家庭によって手袋や布製物品、おしめや生理用品など人によって必要とする物が入れられる。人に頼んでも解り易い。
高齢者の早目の避難が難かしいのが問題であるが、避難指定場所に自分の枕やカバン、ちょっとした物があると思えるだけで動ける可能性が高くなるのではないか。この場合、空気圧縮袋で板状にし預かるのも過疎化が進んだ地域では考えられる。
【図面の簡単な説明】
【０００７】
【図１】表布袋の正面図
【図２】持ち手を取り出した時の正面図
【図３】内袋の正面図
【０００８】  避難場所でバックとして使用するため、ファスナー１〜２を開け〔図３〕の内側の袋を取り出し、表袋の裏側についている持ち手を出し余った表布は一度外側に出し、中表にし端を持上げると屏風畳みになって表地が出る。ファスナーを２の位置まで上げるとおさまりがよい。
〔図１〕をバックとして使用中〔図３〕の袋があることにより、そのまま枕として使え布団などの収納袋として使用出来、外見上もよい。
【符号の説明】
【０００９】  １〜２  １本のファスナー
３      折り返した時の布部
４      物を入れる口
【図１】
0003200871.tif 000003
【図２】
0003200871.tif 000004
【図３】
0003200871.tif 000005
(57)【要約】      （修正有）【課題】振り出しの釣竿の固着を容易に解除して収納できる道具を提供する。【解決手段】厚さ１ｍｍ程度のゴムまたは軟質ビニール等の板１に、厚さ５ｍｍ程度のスポンジ状の板２を貼り付ける。または、厚さ５ｍｍ程度のスポンジ状の板に乾燥すれば丈夫な膜となる接着剤を塗布して乾燥させる。スポンジ状の板を手で掴み、ゴム状の板の部分を釣竿の細い軸に接するように巻きつけることで、力が伝わり易く滑りにくくなる。【選択図】図２
0003200873.tif 000002
【実用新案登録請求の範囲】
【請求項１】
固着した振り出し釣竿の収納、及び、固いビン等の蓋を回す道具について、厚さ５ｍｍ程度のスポンジ状の板に、厚さ１ｍｍ程度のゴムまたは軟質ビニール等の材質の板を貼り付けた形状もの。
【請求項２】
固着した振り出し釣竿の収納、及び、固いビン等の蓋を回す道具について、厚さ５ｍｍ程度のスポンジ状の板に、乾燥すれば丈夫な膜ができる接着剤を塗布して作った丈夫な膜を持つ形状のもの。
【考案の詳細な説明】
【技術分野】
【０００１】本考案は、固着した振り出しの釣竿などをもとに収めたり、固いビン等の蓋を回して開ける道具の形状についてのものである。
【背景技術】
【０００２】従来の道具については、振り出し釣竿を元に縮めて収めるとき固着して元に戻らない時は、２枚の厚さ１ｍｍ程度のゴムまたは軟質ビニール等の板状のものを竿の上下に巻きつけて捻りながら押し付けて固着を解除しようとする道具がある。
【考案の概要】
【考案が解決しようとする課題】
【０００３】従来は、振り出し釣竿の先端の細い部分が固着したときは、ゴム板状のものを巻きつけても力が伝わりにくく滑ってしまい、強く掴むことができず、うまくいかない場合が多々あった。
【課題を解決するための手段】
【０００４】厚さ１ｍｍ程度のゴムまたは軟質ビニール等の板状のものに、厚さ５ｍｍ程度のスポンジ状の板を貼り付ける。
【考案の効果】
【０００５】スポンジ状の板を手で掴み、ゴム状の板の部分が釣竿の細い軸に接することになるので、力が伝わり易く、強い力で細い軸を掴むことができるようになった結果、滑りにくくなり、これにより固着した振り出し竿を回して収納することが容易になる。
これはまた、固いビン等の蓋を開けるときも、手が痛くなく容易に蓋を回せる。
【図面の簡単な説明】
【０００６】
【図１】本考案の立面図である。
【図２】本考案は２枚一組で使うため、その斜視図である。
【図３】本考案の使用状態を示す斜視図である。
【考案を実施するための形態】
【０００７】以下、本考案の実施の形態について図面を参照しつつ詳細に説明する。
（イ）、図２は本考案の斜視図である。５ｍｍ程度の厚さのスポンジ板に、同じ形の１ｍｍ程度の厚さのゴムまたは軟質ビニール等の材質を接着剤で貼り付けてある。
乾燥すればゴム状の丈夫な膜となる接着剤を、スポンジ板の表面に塗った場合は１ｍｍ程度のゴム板等をさらに貼り付ける必要はない。
【符号の説明】
【０００８】１  厚さ１ｍｍ程度のゴムまたは軟質ビニール等の板
２  厚さ５ｍｍ程度のスポンジの板
３  一組の２枚を繋ぐ紐
４  振り出しの釣竿
【図１】
0003200873.tif 000003
【図２】
0003200873.tif 000004
【図３】
0003200873.tif 000005
(57)【要約】      （修正有）【課題】道糸がパイプ内ですべり、道糸に対する浮きの位置がずれてしまうことを防止し、正確な水深を計ることが可能な浮きを提供する。【解決手段】水面に浮かぶ浮き１であって、浮力を有する本体２と、本体２内部に配置され、糸５が挿通される筒状体であり、外形が略Ｕ字形状に形成され、その両端が本体外表面から突出するパイプ３とを備える。パイプ３の両端には、ゴム素材で形成され、糸５が挿通される筒状体であるゴム管４が取り付けられていてもよい。【選択図】図１
0003200808.tif 000002
【実用新案登録請求の範囲】
【請求項１】
水面に浮かぶ浮きであって、
浮力を有する本体と、
本体内部に配置され、糸が挿通される筒状体であり、外形が略U字形状に形成され、その両端が本体外表面から突出するパイプと、を備える浮き。
【請求項２】
パイプの両端には、ゴム素材で形成され、糸が挿通される筒状体であるゴム管が取り付けられている請求項１に記載の浮き。
【考案の詳細な説明】
【技術分野】
【０００１】
水面に浮かぶ浮きに関する。
【背景技術】
【０００２】
浮き本体に内臓の道糸が貫通する屈曲パイプの下部に屈曲角度を設け垂直部を経て上部にも屈曲角度を有する１〜2箇所または複数個所が屈曲したパイプに道糸を貫通する浮が提案されている（特許文献1）。
【先行技術文献】
【特許文献】
【０００３】
【特許文献１】実用新案登録３１３２９６０号公報
【考案の概要】
【考案が解決しようとする課題】
【０００４】
しかしながら特許文献1の浮きはパイプの両端が浮き本体の中心を挟んで対向する位置に設けられているので、パイプが屈折していても急激に道糸が引張られると道糸がパイプ内ですべり、道糸に対する浮きの位置がずれてしまう場合があった。
このため、例えば、糸の先端側に錘を取り付け、当該糸に取り付けた浮きまでの距離を計ることで、水深を調べる場合、正確な水深が計れない場合があった。
本考案は、正確な水深を計ることが可能な浮きを提供することを目的とする。
【課題を解決するための手段】
【０００５】
水面に浮かぶ浮きであって、
浮力を有する本体と、
本体内部に配置され、糸が挿通される筒状体であり、外形が略U字形状に形成され、その両端が本体外表面から突出するパイプと、を備える浮き。
【０００６】
パイプの両端には、ゴム素材で形成され、糸が挿通される筒状体であるゴム管が取り付けられている請求項１に記載の浮き。
【考案の効果】
【０００７】
本考案によれば、糸が挿通するパイプをU字形状に形成したので、パイプの両端で、糸に張力が働いた場合、糸に対する本体の位置がズレにくくなる。したがって、正確な水深を計ることが可能な浮きを提供できる。
【図面の簡単な説明】
【０００８】
【図１】本発明の実施形態に係る浮きの側面図である。
【図２】本発明の実施形態に係る浮きの正面図である。
【考案を実施するための形態】
【０００９】
水面に浮かぶ浮き1は、浮力を有する本体2と、本体2内部に配置され、糸5が挿通される筒状体であり、外形が略U字形状に形成され、その両端が本体外表面から突出するパイプ3と、を備える。
パイプ3の両端には、ゴム素材で形成され、糸が挿通される筒状体であるゴム管4が取り付けられている。
【００１０】
浮きへ糸5をゴム管4及びパイプ3の中に通し3を通過し、その先に錘6を付ける。そして、水中に投入し糸を緩ませると錘6が水中の方へ沈んで行き、浮き1は浮力により水面に浮かぶ。錘が底に着いたところで糸5を張った状態で浮き1及び錘6を水中から引き上げると浮1は錘6と距離を維持したまま回収される。この浮き1と錘6との距離が水深である。
【符号の説明】
【００１１】
1  浮き
2  浮き本体
3  パイプ
4  ゴム管
5  糸
6  錘
【図１】
0003200808.tif 000003
【図２】
0003200808.tif 000004
(57)【要約】      （修正有）【課題】手袋を装着したままで、手袋から指先を素早く簡単に露出させ、スマートフォン等、タッチパネルを搭載した携帯端末の操作ができる手袋を提供する。【解決手段】手袋１の背の部分に指先を出すための切り込み２を設ける。切り込み２の部分は生地を二重にして、手袋１の中に冷気が入ってこないようにし、手袋１の先端部分を引っ張るだけで素早く簡単に指先を露出させることが出来る。指先の抜けた指袋の先端部は、切り込み２の中に入れ込んだり、ひねって折り曲げたりすることにより、空の指袋が邪魔にならず携帯端末の操作ができるようにする。【選択図】図１
0003200864.tif 000002
【実用新案登録請求の範囲】
【請求項１】
手袋の背側、指の第一関節付近に指先を露出させるための切り込みを設け、切り込み部分は生地の縫製により、二重になっている指袋を備えた手袋。
【請求項２】
請求項１に記載した指袋を使用目的に合わせた本数備えた手袋。
【考案の詳細な説明】
【技術分野】
【０００１】
本考案は、手袋を装着したままスマートフォン等タッチパネルを搭載した携帯端末を操作出来る手袋に関する。
【背景技術】
【０００２】
通常の手袋を装着したままでは、スマートフォン等タッチパネルを搭載した携帯端末を操作できない。
【０００３】
指先に導電繊維を使用したスマートフォン対応手袋が販売されているが、思うように操作できず、手袋を外して操作する事があった。
【０００４】
手袋から指を露出させ、携帯端末の操作を行う手袋が考案されているが、普段使用する場合、見た目、使い心地が良くなさそうな物がある。
【先行技術文献】
【特許文献】
【０００５】
【特許文献１】特開２００８−８１８９６号公報
【特許文献２】実登３１８７２９３号公報
【特許文献３】実登３１６８２２１号公報
【考案の概要】
【考案が解決しようとする課題】
【０００６】
素早く簡単に指先を露出させることが出来、見た目、普段の使い勝手が普通の手袋とほとんど変わらない手袋を提供する。
【課題を解決するための手段】
【０００７】
本考案の手袋は、手の背側の図１が示す部分に指を露出させるための切り込みを設け、切込部分は生地を二重にし、外からの冷気が手袋の中に入ってこないようにする。
【考案の効果】
【０００８】
本考案の手袋は、タッチパネルを搭載した携帯端末を使用する時に、手袋を装着したまま指先だけを露出させ操作ができる。指先を露出させるための切り込み部分は生地が二重になっているため、切り込みが目立たず、冷気が手袋の中に入ってこないので、普段の使い勝手が普通の手袋とほとんど変わらない。
【図面の簡単な説明】
【０００９】
【図１】図１は手袋を背側から見た全体図である。
【図２】図２は指を露出させる部分を背側から見た図である。
【図３】図３は図２を横から見た断面図である。
【図４】図４は指を露出させ、携帯端末を使用している時の図である。
【考案を実施するための形態】
【００１０】
手袋の背側の図１に示す位置に切り込みを設ける。切り込み部は、図２、図３が示すように生地の一部が二重になっている。手袋に伸縮性のある生地を使用する事により、切り込みが目立たず、冷気が入ってこない。
【００１１】
指を露出させる方法は、手袋の先端部分を引っ張り、切り込み部から指先を出すだけである。
【００１２】
指を露出させ、空になった指袋の先端部は、切り込み部の中に折り込んだり、ひねって指の背側に折り曲げ、携帯端末の操作の邪魔にならないようにして使用する。図３は実際に使用する時の図である。
【００１３】
図１では携帯端末の操作用に切り込みが指2本であるが、3本以上に切込を増やす事により、さらにいろいろな作業が楽に行えるようになる。
【符号の説明】
【００１４】
１    手袋
２    切り込み
３    生地の重なり部分
４    指袋
【図１】
0003200864.tif 000003
【図２】
0003200864.tif 000004
【図３】
0003200864.tif 000005
【図４】
0003200864.tif 000006
【手続補正書】
【提出日】平成27年9月1日(2015.9.1)
【手続補正１】
【補正対象書類名】実用新案登録請求の範囲
【補正対象項目名】請求項２
【補正方法】変更
【補正の内容】
【請求項２】
前記指袋を複数本備えたことを特徴とする請求項１に記載の手袋。
(57)【要約】      （修正有）【課題】商品性が高く、生産性に優れるリング麺を提供する。【解決手段】リング麺５を内外径と厚さの寸法、及び、断面の形状が略同じ輪５ａの集合体とする。成形型、小孔部、射出口の形状、個数、配置等を任意に設定可能であり、リング麺５の内外径の寸法、及び、断面の形状を所望するもの（多角形、ハート形、星形等）にすることができ、また、切断のタイミングを調整することで、リング麺５の厚さの寸法をその使用用途等に応じたものにすることができる。【選択図】図３
0003200828.tif 000002
【実用新案登録請求の範囲】
【請求項１】
内外径と厚さの寸法、及び、断面の形状が略同じ輪の集合体からなることを特徴とするリング麺。
【考案の詳細な説明】
【技術分野】
【０００１】
本考案は、うどん、ラーメン、そば、パスタ等の麺に関する。
【背景技術】
【０００２】
一般的な麺は、線状や螺旋状であったが、箸だけでなくフォーク（fork）でも取扱やすくして、子供や和食に馴染みのない外国人でも食しやすいリング麺が、例えば特許文献１として知られている。
【先行技術文献】
【特許文献】
【０００３】
【特許文献１】特開平１１−１２３０５８号公報
【考案の概要】
【考案が解決しようとする課題】
【０００４】
上記特許文献１に開示されたリング麺は、細く１本の糸状に長い切れ目のない麺を用いて輪の形に作るものであり、輪の麺の太さは同じものの長さは長短がある不均一、かつ、糸状の麺を輪の形に作ることは容易でない。
【課題を解決するための手段】
【０００５】
本考案は、内外径と厚さの寸法、及び、断面の形状が略同じ輪の集合体からなるリング麺である。
【考案の効果】
【０００６】
前述の通り、本考案のリング麺は、内外径と厚さの寸法、及び、断面の形状が略同じ輪の集合体からなり、商品性が高いと共に、機械化が容易な生産性に優れる。
【図面の簡単な説明】
【０００７】
【図１】リング麺を作る成形型の要部斜視図である。
【図２】小孔部を説明する成形型の部分拡大図である。
【図３】リング麺の平面図である。
【図４】図３のＡ−Ａ線で切断した断面図である。
【図５】実際に製造した本考案に係るリング麺の写真である
【考案を実施するための形態】
【０００８】
内外径と厚さの寸法、及び、断面の形状が略同じ輪の集合体からなるリング麺である
【実施例】
【０００９】
以下、添付図面に従って本考案の一実施例を説明する。１は例えば小麦粉に塩等を配合した粘性を有する麺の材料、２は例えば平板３に環状に配置した直径１ミリメートルの８個の円形の小孔部３を有して材料１を通過させる射出口４が４個所設けられている成形型である。
【００１０】
材料１は、成形型２の射出口４を水平方向の後方（図１の右側）から前方（同図の左側）押されて通過すると、射出口４の小孔部３に応じた細い８本の線状の束として形成されるが、直に自己の粘性により隣接する材料１が再結合することで中空筒形状となる。
【００１１】
その後に、図示しないカッター等の自動切断部材で材料１の進行方向と交差する方向、例えば垂直方向（図１の上下方向）で切断されると、材料１は、内外径と厚さ（奥行）の寸法、及び、断面の形状（内径約１４ミリメートル、外径約１５ミリメートル、厚さ約３ミリメートル）が略同じ輪５ａの集合体からなるリング麺５になる。
【００１２】
なお、切断後にできるリング麺５の個々の輪５ａは、その材料１が粘性を有するため、自然放置しておくと図３で示すように同形状を維持しない場合があるものの、切断は同形状に形成することを意図しており、個々の輪５ａへ大きな力を加えることなく人為的に整えると内外径と厚さの寸法、及び、断面の形状が略同じになり、本考案の権利範囲に記載のリング麺５となる。
【００１３】
なお、上記の説明は、一実施例に関するもので、成形型２、小孔部３、射出口４の形状、個数、配置等を任意に設定可能であり、リング麺５の内外径の寸法、及び、断面の形状を所望するもの（多角形、ハート形、星形等）にすることができ、また、前記切断のタイミングを調整することで、リング麺５の厚さの寸法をその使用用途等に応じたものにすることができる。
【産業上の利用可能性】
【００１４】
このリング麺５は、うどん、ラーメン、そば、パスタ等として利用することができる。
【符号の説明】
【００１５】
１    リング麺の材料
２    成形型
３    成形型に形成した小孔部
４    射出口
５    リング麺
５ａ  リング麺を構成する輪
【図１】
0003200828.tif 000003
【図２】
0003200828.tif 000004
【図３】
0003200828.tif 000005
【図４】
0003200828.tif 000006
【図５】
0003200828.tif 000007
(57)【要約】      （修正有）【課題】貨物の投入口及び取出口を有し、貨物数量を表示する表示装置を投入口及び取出口に設置した物流用カートを提供する。【解決手段】カート１上に貨物の投入口と取出口６とを設け、貨物数量を表示する表示装置８を投入口及び取出口６に設ける。また、自動認識シンボル１１を読み取る自動認識装置１０と、読み取られた情報を元に取出口側表示装置８への表示を行う制御装置２を設ける。【選択図】図１
0003200885.tif 000002
【実用新案登録請求の範囲】
【請求項１】
貨物の投入口と、
貨物の取出口と、
貨物を投入する際の投入位置及び投入数量を表示する投入口側表示装置と、
貨物を取り出す際の取り出し位置及び取り出し数量を表示する取出口側表示装置と、
を設けたことを特徴とする物流用カート。
【請求項２】
棚の格納場所コード（ロケーションコード）を表す自動認識シンボルを読み取るための自動認識装置と、
前記自動認識装置で読み取った格納場所コード（ロケーションコード）で表される格納場所に、カートから貨物を取り出す際の、カート上の取出口位置及び取り出し数量を、貨物の投入口とは別に設けた取出口に近接して設けられた取出口側表示装置に表示するための制御装置と、
を設けたことを特徴とする物流用カート。
【考案の詳細な説明】
【技術分野】
【０００１】  本考案は、貨物の投入口及び取出口を有し、貨物数量を表示する表示装置を投入口及び取出口に設けた物流用カートに関するものである。
【背景技術】
【０００２】  従来の物流用カートは、カート上の複数の格納場所ごとに、貨物を投入する位置又は投入する数量を表示する表示装置を設けたものが知られている。【０００３】  しかしながら従来の物流用カートは、貨物を格納場所に投入した後、格納された貨物をカート上の複数の格納場所のうちの１カ所以上から取り出すときに、その取り出し位置及び取り出し数量を操作者に指示する機構がないという欠点があった。
【先行技術文献】
【特許文献】
【０００４】
【特許文献１】  特開２００８−２４７５４６号公報
【考案の概要】
【考案が解決しようとする課題】
【０００５】  本考案は、以上のような従来の欠点に鑑み、カート上の複数の格納場所に格納した貨物を格納場所から取り出す際に、投入口とは別に設けた複数の取出口と、前記取出口に、取り出し位置及び取り出し数量を操作者に指示する表示装置とを設けた物流用カートを提供することを目的とする。
【課題を解決するための手段】
【０００６】  上記目的を達成するために、本考案は、貨物の投入口と、貨物の取出口と、貨物を投入する際の投入位置及び投入数量を表示する投入口側表示装置と、貨物を取り出す際の取り出し位置及び取り出し数量を表示する取出口側表示装置と、を物流用カートに設けたものである。ここで表示装置とは、貨物数量を表す数字を表示するデジタル表示器や、点灯する数が貨物数量を表すランプ装置等であり、複数ある表示器のうちの１以上の表示器が点灯することによって、複数の投入口及び取出口のうちの特定の箇所を指し示すことができるものである。【０００７】  また、カートから取り出す貨物を格納する棚の格納場所コード（ロケーションコード）を表す自動認識シンボルを読み取るための自動認識装置と、前記自動認識装置で読み取った格納場所コード（ロケーションコード）で表される格納場所に、カートから貨物を取り出す際の、カート上の取出口位置及び取り出し数量を、貨物の投入口とは別に設けた取出口に近接して設けられた取出口側表示装置に表示するための制御装置と、を物流用カートに設けたものである。ここで自動認識装置とは、自動認識シンボルを読み取るためのハンディスキャナやバーコードリーダ等である。
【考案の効果】
【０００８】  以上の説明から明らかなように、本考案にあたっては次に列挙する効果が得られる。
（１）物流用カートに、貨物の投入口と取出口を設け、かつ、投入口側表示装置と取出口側表示装置を設けたことにより、貨物を複数の格納場所から集品するピッキング作業と、出荷先別に設定された複数の格納場所に区分する仕分け作業とを、別個のカートを導入することなく、一つの物流用カートで行うことができる。【０００９】（２）また、物流用カートに、貨物の投入口と取出口を設け、かつ、投入口側表示装置と取出口側表示装置を設けたことにより、仕分け作業を行う前にピッキング作業を終了させることなく、並行してピッキング作業と仕分け作業を行うことができる。【００１０】（２）また、カートから取り出す貨物を格納する棚の格納場所コード（ロケーションコード）を表す自動認識シンボルを読み取るための自動認識装置と、前記自動認識装置で読み取った格納場所コード（ロケーションコード）で表される格納場所に、カートから貨物を取り出す際の、カート上の取出口位置及び取り出し数量を、取出口側表示装置に表示するための制御装置とを物流用カートに設けたことにより、カートの操作者は、自動認識シンボルを読み取るだけで、前記の仕分け作業を、表示装置の表示に従って、容易に実施することができる。
【図面の簡単な説明】
【００１１】
【図１】  本考案の一実施形態の斜視図である。
【図２】  図１のカートの側面図である。
【考案を実施するための形態】
【００１２】  以下、本考案の実施の形態を図に基づいて説明する。
図１は、本考案によるカート装置の一実施形態の斜視図であって、複数の棚板（３）の一方に複数の取出口（６）を設け、取出口の近傍に取出口側表示装置（８）を設けた物流用カート（１）である。物流用カート（１）には、棚（１４）の棚板（１２）に設置された自動認識シンボル（１１）を読み取るための自動認識装置（１０）と、自動認識装置及び表示装置の制御を行う制御装置（２）が設置される。
図２は、本考案装置の側面図であり、カートに設置された複数の棚板（３）の一方に取出口（６）及び取出口側表示装置（８）を設け、反対側に投入口（１３）と投入口側表示装置（５）を設ける。
本考案装置は以上のような構造である。
本考案装置を使用するときは、貨物のピッキングを行う場合には、操作者は、複数の投入口のうち１以上の投入口側表示装置（５）に表示される貨物数量を投入する。貨物の仕分けを行う場合には、操作者は、棚（１４）に設置された自動認識シンボル（１１）を自動認識装置（１０）で読み取る。制御装置（２）による情報処理によって当該格納位置に仕分けるべき貨物数量が複数の取出口（６）のうち１以上の取出口側表示装置（８）に表示され、その表示に従って、操作者は貨物を取り出し、読み取りを行った棚（１４）の格納場所に貨物を格納する。
【産業上の利用可能性】
【００１３】  本考案は、物流用カートを製造する産業で利用される。
【符号の説明】
【００１４】    １  物流用カート
２  制御装置
３  棚板
４  ハンドル
５  投入口側表示装置
６  取出口
７  ハンドル
８  取出口側表示装置
９  車輪
１０  自動認識装置
１１  自動認識シンボル
１２  棚板
１３  投入口
１４  棚
【図１】
0003200885.tif 000003
【図２】
0003200885.tif 000004
(57)【要約】      （修正有）【課題】奥まった位置にあって摺動部に直交する精密機械の部品を挟持したり、外科手術の際奥深く曲がった位置にある組織を挟持したり、ペーパークラフトの工作等でボンドの接着の際、ピンセットと直交する箇所の作業が困難な場合にも、問題なく作業出来るスライド式ピンセットを提供する。【解決手段】人差し指当て部と中指当て部と挟持部の一方１ｃとを備えた基部１と、親指当て部と挟持部の他方２ｃとを備えた摺動部２と、基部の挟持部と摺動部の挟持部を常時開状態に保つ引きばね３とを有し、人差し指当て部と中指当て部と親指当て部との間隔を狭くする事により、挟持部が密着するように構成した事を特徴とする。【選択図】図２
0003200884.tif 000002
【実用新案登録請求の範囲】
【請求項１】
人差し指当て部と中指当て部と挟持部の一方とを備えた基部と、親指当て部と挟持部の他方とを備えた摺動部と、基部の挟持部と摺動部の挟持部を常時開状態に保つ引きばねとを有し、人差し指当て部と中指当て部と親指当て部との間隔を狭くする事により、挟持部が密着するように構成した事を特徴とするスライド式ピンセット。
【請求項２】
前記基部及び摺動部ならびに引きばねは、ステンレス製である事を特徴とする請求項１記載のスライド式ピンセット。
【考案の詳細な説明】
【技術分野】
【０００１】  本考案はスライド式ピンセット、さらに詳しくは精密機械等の奥深いところの部材を挟持したり、外科手術等奥深いところの術野にある組織を挟持したり、ペーパークラフトの工作等でボンドの接着が方向性によっては、出来なかった作業を容易にしたスライド式ピンセットに関する。
【背景技術】
【０００２】  従来のピンセットは平行状の形を両側から手で押さえての使用である為、広い領域にある術野の組織や精密機械の部品を挟持するには問題ないが、狭い領域の奥まった所で、特に曲がった位置にある組織や部品を挟持する事は実際不可能であった。この問題を解決する為に、基部と摺動部をスライドさせて、挟持する構造が提案されている。
【考案の概要】
【考案が解決しようとする課題】
【０００３】  上述した通り従来のピンセットでは、把持部に平行した箇所や手や指が届きやすい箇所では有効であるが、その逆に狭く奥まった部分の作業には時間を要したり不可能の場合があった。
【課題を解決するための手段】
【０００４】  本考案は基部に人差し指と中指を添えて摺動部に親指を当て押し込むと引きばねが伸び、基部側ガイド用爪をガイドにして摺動部品の挟持部と基部側の挟持部を密着させピンセットの役目をする物である。
【考案の効果】
【０００５】  本考案のスライド式ピンセットによれば、奥まった位置にあって摺動方向と直交する精密機械の部品や、外科手術における奥深い術野の曲がった位置にある組織を確実に挟持する事が出来るほか、ペーパークラフト等で狭くて深い箇所で、把持部に直交する箇所も挟持出来る事を可能とした。
【図面の簡単な説明】
【０００６】
【図１】本考案の平面図である。
【図２】本考案の正面図である。
【考案を実施するための形態】
【０００７】  この考案の一実施の形態の構成を図面１，２を参照して説明する。
本考案のスライド式ピンセットは基部１及び摺動部２及び引きばね３から構成されており、基部１の一方の端には基部側人差し指当て部１ａ及び基部側中指当て部１ｂが設けられており、摺動部２の一方の端には、基部１の基部側人差し指当て部１ａ及び基部側中指当て部１ｂに対向する位置に、摺動部側親指当て部２ａが設けられている。基部１のもう一方の端には基部側挟持部１ｃが設けられており、摺動部２のもう一方の端には摺動側挟持部２ｃが設けられている。基部１には摺動部２を摺動させる為の基部側ガイド用爪１ｄ及び、基部１の人差し指当て部１ａと基部側中指当て部１ｂの近傍に基部側ばね取付け部１ｅが設けられており、摺動部２には基部側ばね取付け部１ｅの為の摺動部側ばね取付け用逃げ穴２ｄを設けると共に、引きばね３が縮んだ状態で保持される位置に摺動部側ばね取付け部２ｂが設けられている。
【０００８】  このスライド式ピンセットの取り扱いについて説明する。基部側人差し指当て部１ａに人差し指を当て、基部側中指当て部１ｂには中指を当て、摺動部側親指当て部２ａには親指を当てて押し込むと、通常は縮んでいる引きばね３が伸びて基部側挟持部１ｃと摺動部側挟持部２ｃが密着しピンセットの役目をする。
尚この実施の形態では挟持部の曲げ角度を直角で説明したが、鈍角又は鋭角にしたり挟持部の先端形状も狭くしたり広くしたりしても良い。又基部側人差し指当て部１ａ、基部側中指当て部１ｂ、摺動側親指当て部２ａの部分に樹脂製等の部品を取り付けたり基部側ガイド爪の部分にもカバー状の部品を取り付けても良い。しかし消毒と衛生面を考慮した時はオールステンレス製が望ましい。
【符号の説明】
【０００９】  １    基部
１ａ  基部側人差し指当て部
１ｂ  基部側中指当て部
１ｃ  基部側挟持部
１ｄ  基部側ガイド用爪
１ｅ  基部側ばね取付け部
２    摺動部
２ａ  摺動部側親指当て部
２ｂ  摺動部側ばね取付け部
２ｃ  摺動部側挟持部
２ｄ  摺動部側ばね取付け部逃げ穴
３    引きばね
【図１】
0003200884.tif 000003
【図２】
0003200884.tif 000004
(57)【要約】      （修正有）【課題】装飾品であるピアス式イヤリングにおいて、デザイン上の制約を解除し、より多くのデザインを消費者に提供する。【解決手段】耳朶１に開けられたピアス孔２に挿通されるピアスステム４を有するピアス式イヤリングであって、ピアスステム４は、金属製の芯材に樹脂製の透明皮膜３を施したことを特徴とする。【選択図】図１
0003200883.tif 000002
【実用新案登録請求の範囲】
【請求項１】
耳朶に開けられたピアス孔に挿通されるピアスステムを有するピアス式イヤリングであって、前記ピアスステムは、金属製の芯材に樹脂製の透明皮膜を施したことを特徴とするピアス式イヤリング。
【請求項２】
前記透明皮膜は、低アレルギー性を有する樹脂素材であり、金属性アレルギーによる炎症を防止する素材から形成されることを特徴とする請求項１に記載のピアス式イヤリング。
【請求項３】
前記ピアスステムは、Ｕ字状または円状に湾曲形成されたことを特徴とする請求項１または２に記載のピアス式イヤリング。
【考案の詳細な説明】
【技術分野】
【０００１】  本考案は、ピアス式イヤリングに関する。
【背景技術】
【０００２】  ピアス式イヤリングは、金属線材をＵ字状やフープ状等に湾曲形成したもの、またはまっすぐな金属線材をピアスステムとして有したものである。この装身具は古来より広く知られており、主に耳朶に開けられたピアス孔に挿着し使用するものである。【０００３】  このピアス式イヤリングの場合、金属部が直接身体に触れるため、ニッケル、亜鉛、銅、鉄等の金属成分によってアレルギー性皮膚炎を引き起こすことがある。【０００４】  これに対して、ピアス式イヤリングによる金属アレルギーを防止するために種々の提案がなされている。その一例として実開平５−２３９１６号公報には、金属製ピアスステムの基端に宝石が設けられた本体と、上記ピアスステムが係合する止め具からなるピン状ピアス式イヤリングにおいて、上記ピアスステムのみに樹脂被覆層を設けることによって上記皮膚炎を起こすことを防止することが記載されている。【０００５】  また、特開平９−７５１１６号公報には、同様のピン状ピアス式イヤリングにおいて、該ピアスステム及びピアスステムの先端部が係合する金属製止め具に透明なプラスチック膜を被せ、金属と身体との直接接触を避け、皮膚炎を起こすことを防止することが記載されている。
【先行技術文献】
【０００６】
【特許文献１】実開平５−２３９１６号公報
【０００７】
【特許文献２】特開平９−７５１１６号公報
【考案の概要】
【考案が解決しようとする課題】
【０００８】  しかしながら、ピアスステム部分及び止め具は樹脂膜で覆われているため、金属性皮膚炎の原因になることは避けられるものの、いずれも装飾部から突出したピン状ピアスステムと止め具から成る構造であるため、上記金具を使用しないフック型ピアス式イヤリングや、フープ型ピアス式イヤリング等、耳朶より下方に装飾部を配したデザインには適していなかった。【０００９】  上記のような構造上の制約により、市場において低アレルギー性を有するピアス式イヤリングは、従来の金属製ピアス式イヤリングに比べてデザイン数も少なく、金属アレルギー保有者である消費者には選択の範囲が著しく少ないという難点があった。
【考案の効果】
【００１０】  本考案は装飾品であるピアス式イヤリングにおいて、デザイン上の制約を解除し、より多くのデザインを消費者に提供することを目的としている。
【図面の簡単な説明】
【００１１】
【図１】本考案の実施の一例である、樹脂を被覆したフック状ピアス式イヤリング金具をピアス孔に挿着した状態を示す要部断面図である。
【図２】本考案の実施の一例である、樹脂を被覆したフック状ピアス式イヤリング金具をピアス孔に挿着した状態を示す要部断面図である。
【図３】本考案の実施の一例である、樹脂を被覆したフープ状ピアス式イヤリング金具をピアス孔に挿着した状態を示す要部断面図である。
【図４】図１、２及び図３のＡ−Ａ線断面図である。
【考案を実施するための形態】
【００１２】  図１、図２及び図３に示す樹脂膜３は、ポリプロピレン、アクリル、フッ素あるいはシリコーンゴム等低アレルギー性を有する樹脂素材であり、これを金属線材に被覆させ、身体と金属との直接接触を遮断し、金属性アレルギーによる炎症を防止するものである。
【００１３】    図１に示すように、上記のように樹脂被覆させた金属線材４をＵ字状に湾曲形成し、ピアス式イヤリング金具を形成する。その基端には、斜め外方へ延びた装着用ガイド４ａが形成されおり、他端には止め環４ｂが形成されている。この止め環４ｂに連結環６を介して装飾部５をぶら下げる。
【００１４】    図２に示すように、上記のように樹脂被覆させた金属線材８をＵ字状に湾曲形成し、ピアス式イヤリング金具を形成する。その基端には、斜め外方へ延びた装着用ガイド８ａが形成されおり、他端は装飾部９に直接接続されている。
【００１５】    図３に示すように、樹脂被覆させた金属線材７を円状に湾曲形成しフープ型ピアス式イヤリングを形成する。その基端には、９０度外方へ延びた装着用ガイド７ａが形成されおり、他端には挿着後、７ａに引っ掛けるためのＵ字状フック７ｂが形成されている。このフープ状ピアス金具本体に連結環６を介して装飾部５をぶら下げる。
【００１６】    本形態は、耳朶１に開けられたピアス孔２に、本ピアス式イヤリングを装着用ガイド部から挿着し、装飾部５が正面から見える位置で留めて使用する装身具であるが、その際、ピアス孔２と金属部は、樹脂膜３を隔て直接接触しないため、金属製アレルギーによる炎症を防止することが出来るものである。
【符号の説明】
【００１７】１    耳朶
２    ピアス孔
３    樹脂膜
４    フック型ピアス式イヤリング金具
５    装飾部
６    連結環
７    フープ型ピアス式イヤリング金具
８    フック型ピアス式イヤリング金具
９    型ピアス式イヤリング金具断面
【図１】
0003200883.tif 000003
【図２】
0003200883.tif 000004
【図３】
0003200883.tif 000005
【図４】
0003200883.tif 000006